(57)【特許請求の範囲】
【請求項１】
紫外線を照射する殺菌灯の点滅を制御する紫外線照射制御装置であって、
前記殺菌灯の点滅を制御する制御部と、
前記殺菌灯の点灯時間を入力するための入力部と、
前記入力部で入力された点灯時間を記憶する記憶部と、
人の存在を検知するセンサから信号を受信する信号受信部と、
を備え、
前記制御部は、前記記憶部が記憶する点灯時間になると第１デューティ比で前記殺菌灯の点灯と消灯を繰り返す第１インターバル照射を行い、該第１インターバル照射中に前記信号受信部が前記センサから信号を受信した場合、前記記憶部が記憶する点灯時間になるまで前記殺菌灯を消灯し、次の点灯時間になると自動的に第２デューティ比で前記殺菌灯の点灯と消灯を繰り返す第２インターバル照射を行う紫外線照射制御装置であって、
前記第２デューティ比は、前記第１デューティ比に対する、予定された第１インターバル照射の時間ＩＴと、前記殺菌灯を消灯したことにより減少した実際の第１インターバル照射の時間ＩＴｏｎとの割合（ＩＴ／ＩＴｏｎ）から求められることを特徴とする、
紫外線照射制御装置。
【請求項２】
前記入力部は暗証番号の入力を受け付け可能であり、
前記制御部は、前記点灯中に前記信号受信部が前記センサから信号を受信した場合、前記入力部が正規の暗証番号を受け付けると、前記記憶部に記憶する点灯時間になる前であっても前記殺菌灯を点灯することを特徴とする請求項１に記載の紫外線照射制御装置。
【請求項３】
請求項１乃至２のいずれかに記載の紫外線照射制御装置と、
前記殺菌灯と、
前記センサと、
を備える紫外線照射システム。
【請求項４】
紫外線を照射する殺菌灯と、
前記殺菌灯の点滅を制御する制御部と、
前記殺菌灯の点灯時間を入力するための入力部と、
前記入力部で入力された点灯時間を記憶する記憶部と、
人の存在を検知するセンサと、
を備え、
前記制御部は、前記記憶部が記憶する点灯時間になると第１デューティ比で前記殺菌灯の点灯と消灯を繰り返す第１インターバル照射を行い、該第１インターバル照射中に前記センサが人の存在を検知した場合、前記記憶部が記憶する点灯時間になるまで前記殺菌灯を消灯し、次の点灯時間になると自動的に第２デューティ比で前記殺菌灯の点灯と消灯を繰り返す第２インターバル照射を行う紫外線照射制御装置であって、
前記第２デューティ比は、前記第１デューティ比に対する、予定された第１インターバル照射の時間ＩＴと、前記殺菌灯を消灯したことにより減少した実際の第１インターバル照射の時間ＩＴｏｎとの割合（ＩＴ／ＩＴｏｎ）から求められることを特徴とする、
紫外線照射装置。
【発明の詳細な説明】
【技術分野】
【０００１】
本発明は、紫外線照射装置、紫外線照射制御装置、紫外線照射システムに関する。
【背景技術】
【０００２】
従来から社会の殺菌・除菌指向を反映して、住宅、病院、工場、事務所、ホテルなどの施設において、対象とする領域に対して紫外線等の殺菌・除菌効果の高い光を照射して殺菌・除菌する装置等が提供されている。一方、殺菌・除菌効果の高い紫外線等は、人体には有害である場合が多く、安全に配慮した構成や機能が採用されることが多い。
【０００３】
たとえば、特許文献１は、紫外線ランプを用いた軽量、且つ、頑丈で、さらに、安全に使用することのできるコンパクトタイプのハンディ型除菌器を開示する。この除菌器では、スライド式ゲージで紫外線ランプをカバーしたハンディ型除菌器を使用する際、被殺菌対象と近接させすぎると、人感（温度）センサの働きで、電源ＯＦＦにすることができ、また、紫外線ランプの照射時間を長くしすぎたりして、低温火傷を起こしそうなとき、時限タイマーの働きで電源ＯＦＦにすることができて、火傷を防ぐこともできる、より安全に使用することができる。
【先行技術文献】
【特許文献】
【０００４】
【特許文献１】特開２０１７−１７６２９１号公報
【発明の概要】
【発明が解決しようとする課題】
【０００５】
人体への安全を配慮して電源をオフにし、照射を止めることは必要なことであるが、照射を止めた場合であっても殺菌・除菌の効果が得られなくなることを回避しなければ、本来の殺菌・除菌するための装置等として意味をなさなくなってしまう。
そこで、本発明は、かかる事情に鑑みて考案されたものであり、対象となる領域の殺菌・除菌を安全かつ確実に行う紫外線照射装置、紫外線照射制御装置、紫外線照射システムを提供するものである。
【課題を解決するための手段】
【０００６】
上記課題を解決するために、紫外線を照射する殺菌灯の点滅を制御する紫外線照射制御装置であって、殺菌灯の点滅を制御する制御部と、殺菌灯の点灯時間を入力するための入力部と、入力部で入力された点灯時間を記憶する記憶部と、人の存在を検知するセンサから信号を受信する信号受信部と、を備え、制御部は、記憶部が記憶する点灯時間になると第１デューティ比で殺菌灯の点灯と消灯を繰り返す第１インターバル照射を行い、該第１インターバル照射中に信号受信部がセンサから信号を受信した場合、記憶部が記憶する点灯時間になるまで殺菌灯を消灯し、次の点灯時間になると自動的に第２デューティ比で殺菌灯の点灯と消灯を繰り返す第２インターバル照射を行う紫外線照射制御装置であって、第２デューティ比は、第１デューティ比に対する、予定された第１インターバル照射の時間ＩＴと、殺菌灯を消灯したことにより減少した実際の第１インターバル照射の時間ＩＴｏｎとの割合（ＩＴ／ＩＴｏｎ）から求められることを特徴とする紫外線照射制御装置が提供される。
これによれば、点灯中に人を検知すると殺菌灯を消灯することで人体に対して安全であると共に、次回の点灯時間になるまで消灯すなわち次回の点灯時間になれば自動的に点灯することで次回の点灯により確実に殺菌・除菌を行う紫外線照射制御装置を提供することができる。また、紫外線による細菌の殺菌やウイルスの不活化できる時間と、それらが増殖する時間を考慮した適切な周期とデューティ比で殺菌灯の点灯と消灯を繰り返すインターバル照射を行い、点灯中に人を検知し殺菌灯を消灯した場合、次の点灯時間に殺菌灯を点灯するときインターバル照射のデューティ比を増加させることで、予定点灯時間を増やすことなく殺菌除菌機能を強化し、確実に殺菌・除菌を行うことができる。
【０００７】
さらに、入力部は暗証番号の入力を受け付け可能であり、制御部は、点灯中に信号受信部がセンサから信号を受信した場合、入力部が正規の暗証番号を受け付けると、記憶部に記憶する点灯時間になる前であっても殺菌灯を点灯することを特徴としてもよい。
これによれば、点灯中に人を検知し殺菌灯を消灯した場合、次回の点灯時間前であっても暗証番号を入力すれば点灯を再開することで、確実に殺菌・除菌を行うことができる。
【００１０】
上記課題を解決するために、上記の紫外線照射制御装置と、殺菌灯と、センサと、を備える紫外線照射システムが提供される。
これによれば、点灯中に人を検知すると殺菌灯を消灯することで人体に対して安全であると共に、次回の点灯時間になるまで消灯すなわち次回の点灯時間になれば自動的に点灯することで次回の点灯により確実に殺菌・除菌を行う紫外線照射システムを提供することができる。
【００１１】
上記課題を解決するために、紫外線を照射する殺菌灯と、殺菌灯の点滅を制御する制御部と、殺菌灯の点灯時間を入力するための入力部と、入力部で入力された点灯時間を記憶する記憶部と、人の存在を検知するセンサと、を備え、
制御部は、記憶部が記憶する点灯時間になると第１デューティ比で殺菌灯の点灯と消灯を繰り返す第１インターバル照射を行い、該第１インターバル照射中にセンサが人の存在を検知した場合、記憶部が記憶する点灯時間になるまで殺菌灯を消灯し、次の点灯時間になると自動的に第２デューティ比で殺菌灯の点灯と消灯を繰り返す第２インターバル照射を行う紫外線照射制御装置であって、第２デューティ比は、第１デューティ比に対する、予定された第１インターバル照射の時間ＩＴと、殺菌灯を消灯したことにより減少した実際の第１インターバル照射の時間ＩＴｏｎとの割合（ＩＴ／ＩＴｏｎ）から求められることを特徴とする紫外線照射装置が提供される。
これによれば、点灯中に人を検知すると殺菌灯を消灯することで人体に対して安全であると共に、次回の点灯時間になるまで消灯すなわち次回の点灯時間になれば自動的に点灯することで次回の点灯により確実に殺菌・除菌を行う紫外線照射装置を提供することができる。また、紫外線による細菌の殺菌やウイルスの不活化できる時間と、それらが増殖する時間を考慮した適切な周期とデューティ比で殺菌灯の点灯と消灯を繰り返すインターバル照射を行い、点灯中に人を検知し殺菌灯を消灯した場合、次の点灯時間に殺菌灯を点灯するときインターバル照射のデューティ比を増加させることで、予定点灯時間を増やすことなく殺菌除菌機能を強化し、確実に殺菌・除菌を行うことができる。
【発明の効果】
【００１２】
以上説明したように、本発明によれば、対象となる領域の殺菌・除菌を安全かつ確実に行う紫外線照射装置、紫外線照射制御装置、紫外線照射システムを提供することができる。
【図面の簡単な説明】
【００１３】
【図１】本発明に係る第一実施形態の紫外線照射システムの概観構成図。
【図２】本発明に係る第一実施形態の紫外線照射システムの使用例を示す使用説明図。
【図３】本発明に係る第一実施形態の紫外線照射システムと紫外線照射制御装置の構成を示すブロック図。
【図４】本発明に係る第一実施形態の紫外線照射制御装置が表示する画面の例を示す画面説明図。（Ａ）点灯中表示画面、（Ｂ）暗証番号入力画面、（Ｃ）設定時間入力画面、（Ｄ）センサ検知時表示画面。
【図５】本発明に係る第一実施形態の紫外線照射制御装置における制御フローを示すフローチャート。
【図６】本発明に係る第一実施形態の変形例１の紫外線照射制御装置における制御フローを示すフローチャート。
【図７】本発明に係る第一実施形態の変形例２の紫外線照射制御装置における制御フローを示すフローチャート。
【図８】本発明に係る第一実施形態の変形例２の紫外線照射制御装置におけるインターバル照射を説明する説明図。
【図９】本発明に係る第二実施形態の紫外線照射装置の概観構成図。
【図１０】本発明に係る第二実施形態の紫外線照射装置の構成を示すブロック図。
【発明を実施するための形態】
【００１４】
以下では、図面を参照しながら、本発明に係る実施形態について説明する。
＜第一実施形態＞
図１〜図８を参照し、本実施形態における紫外線照射システム１００を説明する。紫外線照射システム１００は、図１に示すように、商用電源に接続される紫外線照射制御装置１０１と、紫外線照射制御装置１０１に電気的に接続された殺菌灯１３０と、紫外線照射制御装置１０１と電気的に接続された人感センサ１４０と、を備える。
【００１５】
殺菌灯１３０は、紫外線を発生させるランプである。紫外線の波長は、殺菌・除菌に適した短波長（ＵＶ−Ｃ）が好ましく、より好ましくは２５３．７ｎｍである。紫外線を発生させる光源は、短波長の紫外線を発生させることができる限り特に限定されず、電球型、水銀灯型、蛍光灯型、ＬＥＤ型のいずれであってもよいが、高放射効率、小発熱、長寿命、小型軽量のＬＥＤ型が好ましい。また、殺菌灯１３０は、照射対象領域に、照射の影（紫外線が照射されない部分）が生じないよう複数設けられることが好ましい。たとえば、病室に設ける場合、天井だけでなく、ベッドの下方にも紫外線が照射できる位置にも設けられることが好ましい。人感センサ１４０は、人の照射対象領域への接近を感知するセンサであり、感知する仕組みは特に限定されない。たとえば、周囲の温度変化を感知して動作する赤外線センサである。人感センサ１４０が感知する領域は、照射対象領域と一致させておくことが好ましい。
【００１６】
紫外線照射制御装置１０１は、人感センサ１４０が感知した信号を受信し、紫外線を照射する殺菌灯１３０の点滅を制御する。紫外線照射制御装置１０１、殺菌灯１３０、および、人感センサ１４０は、部屋に設けられる場合、たとえば図２に示すように配置される。紫外線照射制御装置１０１は、ドアの近傍に配置されて、人が入退室する際に操作し易い場所（部屋の電灯のスイッチの近くなど）に設けられることが好ましい。殺菌灯１３０は、上方から紫外線を照射するために天井に配置されると共に、上方から紫外線が影になりやすい家具等の下方も照射できるように床の近傍に配置されて設けられることが好ましい。人感センサ１４０は、照射中にもし人が入室してきた場合に直ぐに感知する必要があるため、ドア近傍の天井付近に配置されて設けられることが好ましい。
【００１７】
紫外線照射制御装置１０１は、図３に示すように、殺菌灯１３０の点滅を制御する制御部１１１と、殺菌灯１３０の点灯時間／消灯時間や暗証番号を入力するための入力部１２１と、入力部１２１で入力された点灯時間等を記憶する記憶部１１２と、情報を出力する出力部１２２と、人の存在を検知する人感センサ１４０から電気信号を受信する信号受信部１４１と、殺菌灯１３０と電気的に接続される殺菌灯接続部１３１と、商用電源に接続され、主に殺菌灯１３０に電源を供給する電源部１５０と、を備える。
【００１８】
制御部１１１と記憶部１１２は、紫外線照射制御装置１０１全体を制御するマイクロプロセッサ１１０およびその中に設けられるメモリによって構成されている。もちろん、これに限定されず、制御部１１１と記憶部１１２は別体であってもよい。入力部１２１と出力部１２２は、タッチパネル１２０により一体となり構成されている。なお、本実施例では、出力部１２２は、画面を通して文字図形情報を出力するが、これに限定されず、スピーカを設けて音情報を出力してもよい。
【００１９】
タッチパネル１２０は、場合に応じて適宜、文字図形情報を表示する出力部１２２と、人の指等の接触により反応する入力部１２１を形成する。出力部１２２と入力部１２１の形成は、事前に記憶部１１２に記憶されたプログラムを制御部１１１が実行することにより行われる。たとえば、制御部１１１は、殺菌灯１３０を点灯中の場合、図４（Ａ）に示すように、タッチパネル１２０のほぼ全体に「システム作動中」の文字情報を出力部１２２として、下部に接触検知可能な確認ボタンを入力部１２１として形成する。
【００２０】
また、制御部１１１は、入力部１２１を暗証番号の入力を受け付け可能にするために、図４（Ｂ）に示すように、タッチパネル１２０の下部にテンキーおよび決定ボタン／取消ボタンを入力部１２１として、上部に入力部１２１で入力した数字を表示する表示部を出力部１２２として形成する。入力されて決定ボタンに接触された場合入力された数字が暗証番号として記憶部１１２に記憶される。
【００２１】
また、制御部１１１は、入力部１２１が点灯や消灯の設定時間の入力を受け付けることを可能にするため、図４（Ｃ）に示すように、タッチパネル１２０の中部に時分を上下するためのボタン、下部に点灯／消灯ボタンおよび決定ボタン／取消ボタンを入力部１２１として、上部に入力部１２１で入力した設定した時分を表示する表示部を出力部１２２として形成する。入力されて決定ボタンに接触された場合入力された点灯時間と消灯時間は記憶部１１２に記憶される。たとえば、点灯時間は、照射対象となる領域に通常すべての人がいなくなる時間（たとえば事務所であれば午前１時）を設定し、消灯時間は、その領域に人がい始める時間の前（たとえば事務所であれば午前６時）を設定することが好ましい。
【００２２】
また、制御部１１１は、殺菌灯１３０を点灯中に人感センサ１４０が感知した場合、図４（Ｄ）に示すように、タッチパネル１２０の全体に「危険  退場してください」の文字情報を出力部１２２として形成すると共に、全体を入力部１２１と形成し、接触された場合は、図４（Ｂ）の暗証番号入力画面を表示してもよい。
【００２３】
図５を参照し、制御部１１１が行う制御方法について説明する。なお、フローチャートにおけるＳはステップを示す。制御部１１１は、紫外線照射制御装置１０１が商用電源に接続されると（または電源スイッチを備える場合は電源スイッチをオンすると）、Ｓ１０において、図４（Ｂ）に示す暗証番号入力画面をタッチパネル１２０に出力し、暗証番号入力を受け付け可能にする。制御部１１１は、正規の暗証番号を受け付けた場合、Ｓ１００において、図４（Ｃ）に示す点灯時間／消灯時間の設定時間入力画面を出力し、設定時間を受け付け可能にする。そして、使用者により点灯時間／消灯時間が入力され設定されると、制御部１１１は、記憶部１１２に点灯時間／消灯時間を記憶する。
【００２４】
制御部１１１は、Ｓ１０２において記憶部１１２に設定された点灯時間になるまで待機し、その点灯時間になったら、Ｓ１０４において、殺菌灯接続部１３１を介して殺菌灯１３０を点灯する。この点灯は、継続的な点灯でもよいし、後述するような点灯と消灯を繰り返すインターバル照射であってもよい。制御部１１１は、Ｓ１０６において、人感センサ１４０が人の存在を感知したことの信号を信号受信部１４１を介して受信するか否かを検査する。その信号を受信しない場合、制御部１１１は、Ｓ１０８において、記憶部１１２に設定された消灯時間になるまで人感センサ１４０が感知するか否かの検査を繰り返し継続する。感知せずに設定された消灯時間になった場合、制御部１１１は、Ｓ１１０において、殺菌灯１３０を消灯する。
【００２５】
また、Ｓ１０６において人感センサ１４０が人の存在を感知したことの信号を信号受信部１４１を介して受信した場合、すなわち、消灯時間になる前に殺菌灯１３０が紫外線を照射しているにもかかわらず人感センサ１４０が感知した場合、制御部１１１は、消灯時間になる前であっても直ちに殺菌灯１３０を消灯する（Ｓ１１０）。制御部１１１は、消灯時間になって殺菌灯１３０を消灯した場合であっても、消灯時間になる前に人感センサ１４０が感知しことにより殺菌灯１３０を消灯した場合であっても、記憶部１１２が記憶する点灯時間になるまで待機し、殺菌灯１３０を消灯し続ける。すなわち、制御部１１１は、電源の供給が止められない限り（電源がオフにならない限り）、設定された点灯時間になると自動的に点灯する。
【００２６】
このように、制御部１１１は、記憶部１１２が記憶する点灯時間になると殺菌灯１３０を点灯し、その点灯中に信号受信部１４１が人感センサ１４０から信号を受信すると、記憶部１１２が記憶する点灯時間になるまで殺菌灯を消灯する。これによれば、点灯中に人を検知すると殺菌灯１３０を消灯することで人体に対して安全であると共に、次回の点灯時間になるまで消灯するすなわち次回の点灯時間になれば自動的に点灯することで次回の点灯により確実に殺菌・除菌を行う紫外線照射制御装置１０１を提供することができる。また、紫外線照射制御装置１０１と、殺菌灯１３０と、人感センサ１４０と、を備える紫外線照射システム１００が提供される。これによれば、同様に、点灯中に人を検知すると殺菌灯１３０を消灯することで人体に対して安全であると共に、次回の点灯時間になるまで消灯すなわち次回の点灯時間になれば自動的に点灯することで次回の点灯により確実に殺菌・除菌を行う紫外線照射システム１００を提供することができる。
【００２７】
なお、安全面を考慮し、消灯時間になる前に人感センサ１４０が感知して消灯した場合は、永続的に消灯することを基本としてもよく、再度暗証番号を受け付けた場合にのみ次回設定された点灯時間になると自動的に点灯するようにしてもよい。
【００２８】
＜第一実施形態の変形例１＞
図６を参照し、本実施形態における変形例１の制御方法について説明する。なお、上記制御方法と同じステップには同じステップ番号を付し、説明を簡略にする。制御部１１１は、紫外線照射制御装置１０１が商用電源に接続されると、Ｓ２０において、暗証番号入力画面をタッチパネル１２０に出力し、暗証番号入力を受け付け可能にすると共に、検知フラグをＯＦＦに初期化する。制御部１１１は、正規の暗証番号を受け付けた場合、Ｓ１００において、設定時間入力画面を出力、設定時間を受け付け可能にし、使用者により点灯時間／消灯時間が入力され設定されると、記憶部１１２に点灯時間／消灯時間を記憶する。
【００２９】
制御部１１１は、Ｓ１０２において点灯時間になるまで待機し、その点灯時間になったら、Ｓ１０４において、殺菌灯１３０を点灯する。制御部１１１は、Ｓ１０６において、人感センサ１４０が人の存在を感知するか否かを検査する。感知しない場合、制御部１１１は、Ｓ１０８において、消灯時間になるまで人感センサ１４０が感知するか否かの検査を繰り返し継続する。感知せずに設定された消灯時間になった場合、制御部１１１は、Ｓ１１０において、殺菌灯１３０を消灯する。また、Ｓ１０６において人感センサ１４０が人の存在を感知した場合、制御部１１１は、Ｓ１１４において検知フラグをＯＮにし、その後Ｓ１１０において殺菌灯１３０を消灯する。
【００３０】
制御部１１１は、Ｓ１１２において、検知フラグがＯＮか否かを検査する。人感センサ１４０が人の存在を感知しなかった場合検知フラグはＯＦＦに設定されているので、制御部１１１は、記憶部１１２が記憶する点灯時間になるまで待機し続ける。人感センサ１４０が人の存在を感知した場合検知フラグはＯＮになっているので、制御部１１１は、Ｓ１１６において、次回ループのために検知フラグをＯＦＦに初期設定すると共に、「退場してください」などのメッセージを伴って暗証番号入力画面をタッチパネル１２０に出力する。制御部１１１は、Ｓ１１８において、暗証番号入力画面に対して正規の暗証番号の入力があるか否かを検査する。所定時間内に正規の暗証番号の入力があった場合は、正規の人が何らかの必要があったため消灯時間前に照射領域に入ってしまったまたは誤って入ってしまったとして、入力後はその領域から退去するものと考えられるから点灯時間になる前であっても殺菌灯１３０を僅かな時間後（例えば数分後）に点灯する（Ｓ１０４）。しかし、所定時間内に正規の暗証番号の入力がなかった場合は、安全面を考慮し、記憶部１１２が記憶する次回の点灯時間になるまで待機し、殺菌灯１３０を消灯し続ける。
【００３１】
このように、制御部１１１は、殺菌灯１３０が点灯中に信号受信部１４１が人感センサ１４０から信号を受信した場合、暗証番号入力画面の入力部１２１が正規の暗証番号を受け付けると、記憶部１１２に記憶する点灯時間になる前であっても殺菌灯１３０を点灯する。これによれば、点灯中に人を検知し殺菌灯１３０を消灯した場合、次回の点灯時間前であっても暗証番号を入力すれば点灯を再開することで、確実に殺菌・除菌を行うことができる。
【００３２】
＜第一実施形態の変形例２＞
図７を参照し、本実施形態における変形例２の制御方法について説明する。なお、上記制御方法と同じステップには同じステップ番号を付し、説明を簡略にする。制御部１１１は、紫外線照射制御装置１０１が商用電源に接続されると、Ｓ２０において、暗証番号入力画面をタッチパネル１２０に出力し、暗証番号入力を受け付け可能にすると共に、検知フラグをＯＦＦに初期化する。制御部１１１は、正規の暗証番号を受け付けた場合、Ｓ１００において、設定時間入力画面に使用者により点灯時間／消灯時間が入力されると、記憶部１１２に点灯時間／消灯時間を記憶する。
【００３３】
制御部１１１は、Ｓ１０２において点灯時間になるまで待機し、その点灯時間になったら、Ｓ１２０において、検知フラグがＯＮか否かを検査する。最初に検知フラグはＯＦＦに設定されているので、制御部１１１は、Ｓ１２４において、殺菌灯１３０をインターバル照射する。図８を参照し、インターバル照射を説明する。インターバル照射とは、殺菌灯１３０をオンする時とオフする時を交互に繰り返して紫外線を照射することである。
【００３４】
紫外線照射量（Ｊ／ｍ２）は、紫外線の放射照度（Ｗ／ｍ２）と照射時間（Ｓｅｃ）の積で与えられる。一般的に細菌やウイルスによりたとえば９９．９％不活化に必要な紫外線照射量は知られているので、照射対象領域に存在しそうな細菌やウイルスに対応して殺菌するために必要な照射時間（Ｓｅｃ）は、紫外線照射量（Ｊ／ｍ２）÷紫外線照度（Ｗ／ｍ２）で得られる。紫外線放射照度は殺菌灯１３０の照射能力に基づくので、照射時間は、設置する殺菌灯１３０と想定する紫外線照射量に基づき設定できる。このような設定した照射時間をＴｏｎとし、この照射時間経過後殺菌灯１３０をオフしてもよい。
【００３５】
一方、細菌は、完全に滅菌されない以上残った細胞が分裂し指数的に増殖する可能性があり、いずれは静止期になり増殖は停止するもののあまり増えることは好ましくない。したがって、照射時間Ｔｏｎの後に殺菌灯１３０をオフするオフ時間Ｔｏｆｆ（照射時間Ｔｏｎと照射時間Ｔｏｎの間の時間）は、照射対象領域に存在しそうな細菌に対応して定めることが好ましい。しかし、細菌が増殖する速さは種類、環境や条件により大きく異なるので、照射時間Ｔｏｎとオフ時間Ｔｏｆｆのデューティ比がおおよそ１：１０〜１：２０になるように定めるとよい。
【００３６】
たとえば、照射時間Ｔｏｎが２分の場合、オフ時間Ｔｏｆｆが１８分程度である。これは、２０分が１周期となり、殺菌灯１３０の点灯と消灯を繰り返すように制御部１１１が殺菌灯１３０の点灯を制御することになる。すなわち、所定の周期とデューティ比で殺菌灯１３０の点灯と消灯を繰り返すことを、本明細書ではインターバル照射という。これによれば、紫外線による細菌の殺菌やウイルスの不活化できる時間と、それらが増殖する時間を考慮した適切な周期とデューティ比で殺菌灯の点灯と消灯を繰り返すインターバル照射を行うことで、使用エネルギーを低減すると共に確実に殺菌・除菌を行うことができる。
【００３７】
殺菌灯１３０をインターバル照射し始めると、制御部１１１は、Ｓ１０６において、人感センサ１４０が人の存在を感知するか否かを検査する。感知しない場合、制御部１１１は、Ｓ１０８において、消灯時間になるまで人感センサ１４０が感知するか否かの検査を繰り返し継続する。感知せずに設定された消灯時間になった場合、制御部１１１は、Ｓ１１０において、殺菌灯１３０を消灯する。また、Ｓ１０６において人感センサ１４０が人の存在を感知した場合、制御部１１１は、Ｓ１１４において検知フラグをＯＮにし、Ｓ１１０において殺菌灯１３０を消灯する。
【００３８】
殺菌灯１３０を消灯すると、次回のループではいずれの場合であっても、制御部１１１は、Ｓ１０２において点灯時間になるまで待機し、その点灯時間になったら、Ｓ１２０において、検知フラグがＯＮか否かを検査する。前回ループにおいて人感センサ１４０が感知して検知フラグがＯＮになっている場合、制御部１１１は、Ｓ１２２において、検知フラグを次回のループのためにＯＦＦにすると共に、デューティ比を増加させて、この増加させたデューティ比により殺菌灯１３０をインターバル照射する（Ｓ１２４）。
【００３９】
前回のループ（前回の点灯時間から消灯時間の間）で人感センサ１４０が感知しなかった場合、予定されたインターバル照射が行われたと考えられるので、制御部１１１は、今回のループ（今回の点灯時間から消灯時間の間）においても前回のループと同じデューティ比でインターバル照射を行っても問題ないと思われる（図８（Ａ））。しかし、前回のループで人感センサ１４０が感知した場合、予定されたインターバル照射が十分行われなかったと考えられる。
【００４０】
図８（Ｂ）の左図に示すように、点灯時間から消灯時間までの間にインターバル照射時間ＩＴが予定されていたところ、途中の経過時間ＩＴｏｎで人感センサ１４０が感知した場合、制御部１１１は、それ以降は殺菌灯１３０を消灯するので、ＩＴ−ＩＴｏｎの時間が予定照射時間より短いことになる。この場合、制御部１１１は、今回のループにおいては前回のループでのデューティ比より大きなデューティ比でインターバル照射を行う（図８（Ｂ）の右図）。どの程度増加させるかは、予定されたインターバル照射時間ＩＴと実際のインターバル照射時間ＩＴｏｎの割合（ＩＴ／ＩＴｏｎ）から計算してもよい。これにより、前回の照射中断時間により、殺菌できなかった細菌やウイルスまた増殖した細菌をより長い紫外線の照射時間により殺菌除菌機能を強化することで、点灯時間から消灯時間の間の時間すなわち予定点灯時間を増やすことなく、確実に殺菌・除菌を行うことができる。
【００４１】
また、変形例１のように、人感センサ１４０が感知し正規の暗証番号を受け付けた場合でも、図８（Ｃ）の左図に示すようにＩＴ−ＩＴｏｎ１−ＩＴｏｎ２の時間が予定照射時間より短いので、同様に、予定されたインターバル照射時間ＩＴと実際のインターバル照射時間の割合（ＩＴ／（ＩＴｏｎ１＋ＩＴｏｎ２））からデューティ比を計算し、より大きなデューティ比でインターバル照射を行うことが好ましい（図８（Ｃ）の右図）。
【００４２】
制御部１１１は、人感センサ１４０から信号を受信して殺菌灯１３０を消灯した場合、次の点灯時間に殺菌灯１３０を点灯するときインターバル照射においてデューティ比を増加させることが好ましい。このように、点灯中に人を検知し殺菌灯１３０を消灯した場合、次の点灯時間に殺菌灯１３０を点灯するときインターバル照射のデューティ比を増加させることで、予定点灯時間を増やすことなく殺菌除菌機能を強化し、確実に殺菌・除菌を行うことができる。
【００４３】
＜第二実施形態＞
図９〜図１０を参照し、本実施形態における紫外線照射装置１００Ａを説明する。なお、上記実施形態と同じ構成要素には同じ符号を付し、説明を省略する。紫外線照射装置１００Ａは、紫外線を照射する殺菌灯１３０Ａと、殺菌灯１３０Ａの点滅を制御する制御部１１１と、殺菌灯１３０Ａの点灯時間／消灯時間や暗証番号を入力するための入力部１２１と、入力部１２１で入力された点灯時間等を記憶する記憶部１１２と、情報を出力する出力部１２２と、人の存在を検知する人感センサ１４０Ａと、商用電源に接続され、主に殺菌灯１３０に電源を供給する電源部１５０と、を備える。
【００４４】
殺菌灯１３０Ａと人感センサ１４０Ａは、紫外線照射装置１００Ａに組み込まれており、一体に構成されている。紫外線照射装置１００Ａは、紫外線照射が必要な場所に移動することができる、所謂移動可能な床置き式の装置である。殺菌灯１３０Ａと人感センサ１４０Ａは、上記実施形態の殺菌灯１３０および人感センサ１４０と機能的には同等であるが、コンパクトで軽量であることが好ましい。
【００４５】
紫外線照射装置１００Ａは、下部の台座の側面にタッチパネル１２０を、台座の内部にマイクロプロセッサ１１０と電源部１５０を含み、また上部の頂部材には人感センサ１４０Ａが設けられている。殺菌灯１３０Ａは、台座と頂部材の間に取り付けられるように構成されている。
【００４６】
制御部１１１は、記憶部１１２が記憶する点灯時間になると殺菌灯１３０Ａを点灯し、その点灯中に人感センサ１４０Ａが人の存在を検知すると、記憶部１１２が記憶する点灯時間になるまで殺菌灯１３０Ａを消灯する。これによれば、点灯中に人を検知すると殺菌灯１３０Ａを消灯することで人体に対して安全であると共に、次回の点灯時間になるまで消灯すなわち次回の点灯時間になれば自動的に点灯することで次回の点灯により確実に殺菌・除菌を行う紫外線照射装置１００Ａを提供することができる。
【００４７】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００４８】
１００    紫外線照射システム
１０１    紫外線照射制御装置
１００Ａ  紫外線照射装置
１１０    マイクロプロセッサ
１１１    制御部
１１２    記憶部
１２０    タッチパネル
１２１    入力部
１２２    出力部
１３０    殺菌灯
１３１    殺菌灯接続部
１４０    人感センサ
１４１    信号受信部
１５０    電源部
【要約】
【課題】  対象となる領域の殺菌・除菌を安全かつ確実に行う。
【解決手段】  紫外線を照射する殺菌灯１３０の点滅を制御する紫外線照射制御装置１０１であって、殺菌灯の点滅を制御する制御部１１１と、殺菌灯の点灯時間を入力するための入力部１２１と、入力部で入力された点灯時間を記憶する記憶部１１２と、人の存在を検知するセンサ１４０から信号を受信する信号受信部１４１と、を備え、制御部は、記憶部が記憶する点灯時間になると殺菌灯を点灯し、該点灯中に信号受信部がセンサから信号を受信すると、記憶部が記憶する点灯時間になるまで殺菌灯を消灯する紫外線照射制御装置１０１を提供する。また、紫外線照射制御装置１０１と、殺菌灯１３０と、人感センサ１４０を備える紫外線照射システム１００を提供する。
【選択図】図３【図１】
0006864398.tif 000002
【図２】
0006864398.tif 000003
【図３】
0006864398.tif 000004
【図４】
0006864398.tif 000005
【図５】
0006864398.tif 000006
【図６】
0006864398.tif 000007
【図７】
0006864398.tif 000008
【図８】
0006864398.tif 000009
【図９】
0006864398.tif 000010
【図１０】
0006864398.tif 000011